【手続補正書】
【提出日】平成28年8月15日(2016.8.15)
【手続補正１】
【補正対象書類名】特許請求の範囲
【補正対象項目名】全文
【補正方法】変更
【補正の内容】
【特許請求の範囲】
【請求項１】
血液ポンプシステムであって、
毎分５０ミリリットル〜毎分１５００ミリリットルの動作範囲を有する遠心式血液ポンプであって、
血液を受容し、血液を羽根車の上に向けるようにポンプ入口を画定するポンプハウジングであって、前記ハウジングの上部から前記入口に伸長する上部ピボット軸受と、前記ハウジングの底部から前記ハウジングの内部空間に伸長する底部ピボット軸受とを有し、軸方向荷重は、上部ピボット軸受と底部ピボット軸受との間で共有することができ、前記軸方向荷重の０％〜１００％をそれぞれのピボット軸受に分けることができるポンプハウジングと、
前記羽根車と前記ハウジングの上部分との間の第１の間隙が、０．０５ｍｍ〜０．２ｍｍの第１の範囲内である、前記ハウジング内に懸架された前記羽根車であって、
前記上部ピボットに係合する第１の端部と、前記底部ピボットに係合する第２の端部とを有する羽根車ピボットと、
前記羽根車の上面にあり、前記羽根車の中心から半径方向に離れて伸長する複数のブレードであって、前記入口で受容した血液を、前記ポンプハウジングを通して出口まで押し進めるブレードと、
底面から前記羽根車を通して上面まで前記羽根車の中心軸に平行に伸長する少なくとも１つの内腔と、を有する、前記羽根車と、
前記羽根車に機械的に係合した少なくとも１つの磁石と、
磁石アセンブリと電気コイルから形成され、前記少なくとも１つの磁石に磁気的に係合する電気モーターであって、前記少なくとも１つの磁石および前記羽根車を回転させる電気モーターと、
前記ポンプ入口に流体連通するように構成された一方の端部、および外科的吻により末梢静脈に流体接続を形成するように構成された他方の端部の２つの端部を有する第１の導管と、
ポンプ出口に流体連通するように構成された一方の端部、および末梢静脈に挿入するように構成された他方の端部の２つの端部を有する第２の導管と、を備える、遠心式血液ポンプを備える、血液ポンプシステム。
【請求項２】
前記羽根車と前記ハウジングの上部分との間の第１の間隙が、０．０５ｍｍ〜０．１２５ｍｍの第１の範囲内である、請求項１に記載の血液ポンプ。
【請求項３】
前記羽根車と前記ハウジングの前記底部との間の第２の間隙が、０．１ｍｍ〜０．４ｍｍの第２の範囲内である、請求項１に記載の血液ポンプシステム。
【請求項４】
前記ブレードの上面を含む、ローター上面の全面積に対する前記ブレードの前記上面の積算面積の比が、０．５未満、０．４未満、０．３未満、０．２未満、０．１５未満、または０．１０未満である、請求項１に記載の血液ポンプ。
【請求項５】
少なくとも１つの磁石に磁気的に係合する強磁性バックプレートを含む、請求項１に記載の血液ポンプ。
【請求項６】
羽根車速度が０ｒｐｍであるときに、前記底部ピボット軸受にかかる前記羽根車ピボットの部分の軸方向力が、０．１Ｎを上回る、請求項１または５に記載の血液ポンプ。
【請求項７】
羽根車速度が０ｒｐｍであるときに、前記底部ピボット軸受にかかる前記羽根車ピボットの部分の軸方向力が、２Ｎ〜８Ｎである、請求項１または５に記載の血液ポンプ。
【請求項８】
羽根車速度が６０００ｒｐｍ以下であるときに、前記上部ピボット軸受にかかる力が、３Ｎ未満、２．２Ｎ未満、または１Ｎ未満である、請求項１または５に記載の血液ポンプシステム。
【請求項９】
電気コイルアセンブリは、鉄バックプレートと、少なくとも１つの磁石との間に位置付けられている、請求項１または８に記載の血液ポンプシステム。
【請求項１０】
前記ポンプ入口が、流入拡散器を備える、請求項１に記載の血液ポンプシステム。
【請求項１１】
前記ポンプハウジングは、前記ハウジングの上部から前記入口に伸長する上部ベゼルおよび上部ピボット軸受と、前記ハウジングの底部から前記ハウジングの内部空間に伸長する底部ベゼルおよび底部ピボット軸受とを有するポンプハウジングと、を含む請求項１に記載の血液ポンプシステム。
【請求項１２】
前記上部ピボット軸受、前記底部ピボット軸受または前記羽根車ピボットの一部分が、アルミナ強化ジルコニアを含む、請求項１に記載の血液ポンプシステム。
【請求項１３】
少なくとも１つの導管に係合する１つ以上の取り付け可能な導管カフをさらに備える、請求項１に記載の血液ポンプシステム。
【請求項１４】
前記１つ以上の取り付け可能な導管カフのそれぞれが、機械的に係合するように構成された上部分および下部分を備え、係合したときに、前記上部分および下部分が、前記血液ポンプと流体連通する導管を受容するようにチャネルを画定する、請求項１３に記載の血液ポンプシステム。
【請求項１５】
少なくとも１つの導管と流体連通する、１つ以上のサイドポートをさらに備える、請求項１に記載の血液ポンプシステム。
【請求項１６】
前記１つ以上のサイドポートが、前記導管へのガイドワイヤーおよびカテーテルの挿入を可能にするように構成される、請求項１５に記載の血液ポンプシステム。
【請求項１７】
前記羽根車上面の面積の１０％以下が、動作中に動圧軸受を形成する、請求項１に記載の血液ポンプシステム。
【請求項１８】
前記羽根車上面の面積の１０％〜５０％が、動作中に動圧軸受を形成する、請求項１に記載の血液ポンプシステム。
【請求項１９】
前記羽根車上面の面積の５０％以上が、動作中に動圧軸受を形成する、請求項１に記載の血液ポンプシステム。
【請求項２０】
毎分０．１〜１０００ｍＬの流量範囲にわたる溶血率が、４．４ＢＰ−５０単位未満である、請求項１〜３および１７〜１９のいずれか１項に記載の血液ポンプシステム。
【手続補正２】
【補正対象書類名】明細書
【補正対象項目名】０２１１
【補正方法】変更
【補正の内容】
【０２１１】
本発明は、例示の態様および実施形態と関連させて説明されているが、それらの様々な修正が、本記載を読むことにより当業者に明らかになることを理解されたい。したがって、本明細書に開示される本発明が、添付の特許請求の範囲内に収まるようにそれらの修正を包含するよう意図されることを理解されたい。
なお、本明細書の開示内容は、以下の態様を含み得る。
（態様１）
血液ポンプシステムであって、
毎分約５０ミリリットル〜毎分約１５００ミリリットルの動作範囲を有する遠心式血液ポンプであって、
血液を受容し、血液を羽根車の上に向けるようにポンプ入口を画定するポンプハウジングであって、前記ハウジングの上部から前記入口に伸長する上部ピボット軸受と、前記ハウジングの底部から前記ハウジングの内部空間に伸長する底部ピボット軸受とを有するポンプハウジングと、
前記羽根車と前記ハウジングの上部分との間の第１の間隙が、約０．０５ｍｍ〜約０．２ｍｍの第１の範囲内である、前記ハウジング内に懸架された前記羽根車であって、
前記上部ピボットに係合する第１の端部と、前記底部ピボットに係合する第２の端部とを有する羽根車ピボットと、
前記羽根車の上面にあり、前記羽根車の中心から半径方向に離れて伸長する複数のブレードであって、前記入口で受容した血液を、前記ポンプハウジングを通して前記出口まで押し進めるブレードと、
前記底面から前記羽根車を通して上面まで前記羽根車の中心軸に平行に伸長する少なくとも１つの内腔と、を有する、前記羽根車と、
前記羽根車に機械的に係合した少なくとも１つの磁石と、
前記少なくとも１つの磁石に磁気的に係合する電気モーターであって、前記少なくとも１つの磁石および前記羽根車を回転させる電気モーターと、を備える、遠心式血液ポンプを備える、血液ポンプシステム。
（態様２）
前記少なくとも１つの磁石に磁気的に係合するための強磁性バックプレートを備える、態様１に記載の血液ポンプシステム。
（態様３）
前記羽根車ピボットの一部分が、前記底部ピボット軸受と接触しており、前記羽根車速度が０ｒｐｍであるときに、前記底部ピボット軸受にかかる前記羽根車ピボットの前記部分の軸方向力が、０．１Ｎ、０．５Ｎ、１Ｎ、２Ｎ、３Ｎ、４Ｎ、５Ｎ、７．５Ｎ、および１０Ｎのうちの１つを上回る、態様２に記載の血液ポンプシステム。
（態様４）
前記底部ピボット軸受にかかる前記羽根車ピボットの前記部分の前記軸方向力が、前記羽根車速度が０ｒｐｍであるときに、２Ｎ〜８Ｎである、態様２に記載の血液ポンプ。
（態様５）
前記羽根車速度が６０００ｒｐｍ以下であるときに、前記上部ピボット軸受にかかる前記力が、３Ｎ、２．２Ｎ、または１Ｎのうちの１つ未満である、態様２、３、および４に記載の血液ポンプシステム。
（態様６）
前記羽根車と前記ハウジングの前記底部との間の第２の間隙が、約０．０５ｍｍ〜約０．４ｍｍの第２の範囲内である、態様１に記載の血液ポンプシステム。
（態様７）
前記羽根車と前記ハウジングの上部分との間の前記第１の間隙が、約０．０５ｍｍ〜約０．１７５ｍｍの第２の範囲内である、態様１に記載の血液ポンプシステム。
（態様８）
前記羽根車と前記ハウジングの上部分との間の前記第１の間隙が、約０．０５ｍｍ〜約０．１２５ｍｍの第２の範囲内である、態様１に記載の血液ポンプシステム。
（態様９）
前記羽根車と前記ハウジングの上部分との間の前記第１の間隙が、０．１２５ｍｍである、態様１に記載の血液ポンプシステム。
（態様１０）
前記羽根車と前記ハウジングの上部分との間の前記第１の間隙が、０．１００ｍｍである、態様１に記載の血液ポンプシステム。
（態様１１）
前記羽根車速度が６０００ｒｐｍ以下であるときに、前記上部ピボット軸受にかかる前記力が、３Ｎ、２．２Ｎ、または１Ｎのうちの１つ未満である、態様６〜１０に記載の血液ポンプシステム。
（態様１２）
前記ブレードの前記上面を含む、前記ローター上面の全面積に対する前記ブレードの前記上面の積算面積の比が、０．５、０．４、０．３、０．２、０．１５、および０．１０のうちの１つ未満である、態様１１に記載の血液ポンプ。
（態様１３）
前記ブレードの前記上面を含む、前記ローター上面の前記全面積に対する前記ブレードの前記上面の前記積算面積が、０．１４である、態様１１に記載の血液ポンプ。
（態様１４）
前記ポンプ入口が、流入拡散器を備える、態様１に記載の血液ポンプシステム。
（態様１５）
前記上部ピボット軸受、前記底部ピボット軸受、および前記羽根車ピボットが、アルミナ強化ジルコニアを含む、態様１に記載の血液ポンプシステム。
（態様１６）
１つ以上の取り付け可能な導管カフをさらに備える、態様１に記載の血液ポンプシステム。
（態様１７）
前記１つ以上の取り付け可能な導管カフのそれぞれが、機械的に係合するように構成された上部分および下部分を備え、係合したときに、前記上部分および下部分が、前記血液ポンプと流体連通する導管を受容するようにチャネルを画定する、態様１１に記載の血液ポンプシステム。
（態様１８）
１つ以上のサイドポートをさらに備える、態様１に記載の血液ポンプシステム。
（態様１９）
１つ以上のサイドポートが、前記導管へのガイドワイヤーおよびカテーテルの挿入を可能にするように構成される、態様１３に記載の血液ポンプシステム。
（態様２０）
前記サイドポートの長軸と関連した導管の長軸との間の角度が６０度以下である、態様１４に記載の血液ポンプシステム。
（態様２１）
前記サイドポートのうちの１つ以上が、止血弁に支障を来す、態様１４または１５に記載の血液ポンプシステム。
（態様２２）
前記ポンプ入口またはポンプ出口と連通する端部と、血管への挿入のための遠位端と、を有する少なくとも１つの導管を有し、前記遠位端が、
前記遠位端の中心長手方向軸と同軸にほぼ円形の端部開口を画定するテーパー状の非面取り遠位先端と、
前記遠位先端の周囲に沿って左右対称に配置された第１の複数の側孔であって、前記円形の端部開口の近位にあり、前記中心長手方向軸に対してある角度で配向される、第１の複数の側孔と、
前記遠位先端の周囲に沿って左右対称に配置された第２の複数の側孔と、を備える、態様１に記載の血液ポンプシステム。
（態様２３）
前記円形の端部開口が、１．０ｍｍ〜３．０ｍｍの範囲内の直径を有する、態様１７に記載の血液ポンプシステム。
（態様２４）
前記円形の端部開口が、約２．０ｍｍの直径を有する、態様１８に記載の血液ポンプシステム。
（態様２５）
前記第１の複数の側孔が、ほぼ円形であり、それぞれが０．８ｍｍ〜２．５ｍｍの範囲内の直径を有する、態様１７に記載の血液ポンプシステム。
（態様２６）
前記第１の複数の側孔のそれぞれが、約１．７ｍｍの直径を有する、態様２０に記載の血液ポンプシステム。
（態様２７）
前記第１の複数の側孔が、前記中心長手方向軸に対して３０度〜６０度の範囲内の角度で配向されている、態様１７に記載の血液ポンプシステム。
（態様２８）
前記第１の複数の側孔が、前記中心長手方向軸に対して４０度の角度で配向されている、態様２２に記載の血液ポンプシステム。
（態様２９）
前記第２の複数の側孔が、ほぼ楕円形であり、それぞれが２．５ｍｍ〜７．０ｍｍの範囲内の主軸、および１．０ｍｍ〜２．５ｍｍの範囲内の短軸を有する、態様１７に記載の血液ポンプシステム。
（態様３０）
前記第２の複数の側孔のそれぞれについての前記主軸が約４．８ｍｍであり、前記短軸が約１．７ｍｍである、態様２４に記載の血液ポンプシステム。
（態様３１）
血液ポンプシステムであって、
毎分約５０ミリリットル〜毎分約１５００ミリリットルの動作範囲を有する遠心式血液ポンプであって、
血液を受容し、血液を羽根車の上に向けるようにポンプ入口を画定するポンプハウジングであって、前記ハウジングの上部から前記入口に伸長する上部ピボット軸受と、前記ハウジングの底部から前記ハウジングの内部空間に伸長する底部ピボット軸受とを有するポンプハウジングと、
前記羽根車と前記ハウジングの上部分との間の第１の間隙が、約０．０５ｍｍ〜約０．１２５ｍｍの第１の範囲内である、前記ハウジング内に懸架された前記羽根車であって、
前記上部ピボットに係合する第１の端部と、前記底部ピボットに係合する第２の端部とを有する羽根車ピボットと、
前記羽根車の上面にあり、前記羽根車の中心から半径方向に離れて伸長する複数のブレードであって、前記入口で受容した血液を、前記ポンプハウジングを通して前記出口まで押し進めるブレードと、
前記底面から前記羽根車を通して上面まで前記羽根車の中心軸に平行に伸長する少なくとも１つの内腔と、を有する、前記羽根車と、
前記羽根車に機械的に係合した少なくとも１つの磁石と、
前記少なくとも１つの磁石に磁気的に係合する電気モーターであって、前記少なくとも１つの磁石および前記羽根車を回転させる電気モーターと、
前記少なくとも１つの磁石に磁気的に係合する強磁性バックプレートと、を備える、遠心式血液ポンプを備える、血液ポンプシステム。
（態様３２）
前記羽根車ピボットの一部分が、前記底部ピボット軸受と接触しており、前記羽根車速度が０ｒｐｍであるときに、前記底部ピボット軸受にかかる前記羽根車ピボットの前記部分の軸方向力が、０．１Ｎ、０．５Ｎ、１Ｎ、２Ｎ、３Ｎ、４Ｎ、５Ｎ、７．５Ｎ、および１０Ｎのうちの１つを上回る、態様２６に記載の血液ポンプシステム。
（態様３３）
前記底部ピボット軸受にかかる前記羽根車ピボットの前記部分の前記軸方向力が、前記羽根車速度が０ｒｐｍであるときに、２Ｎ〜８Ｎである、態様２６に記載の血液ポンプ。
（態様３４）
前記羽根車速度が６０００ｒｐｍ以下であるときに、前記上部ピボット軸受にかかる前記力が、３Ｎ、２．２Ｎ、または１Ｎのうちの１つ未満である、態様２６、２７、および２８に記載の血液ポンプシステム。
（態様３５）
前記ポンプ入口が、流入拡散器を備える、態様２６に記載の血液ポンプシステム。
（態様３６）
前記上部ピボット軸受、前記底部ピボット軸受、および前記羽根車ピボットが、アルミナ強化ジルコニアを含む、態様２６に記載の血液ポンプシステム。
（態様３７）
１つ以上の取り付け可能な導管カフをさらに備える、態様２６に記載の血液ポンプシステム。
（態様３８）
前記１つ以上の取り付け可能な導管カフのそれぞれが、機械的に係合するように構成された上部分および下部分を備え、係合したときに、前記上部分および下部分が、前記血液ポンプと流体連通する導管を受容するようにチャネルを画定する、態様３２に記載の血液ポンプシステム。
（態様３９）
１つ以上のサイドポートをさらに備える、態様２６に記載の血液ポンプシステム。
（態様４０）
１つ以上のサイドポートが、前記導管へのガイドワイヤーおよびカテーテルの挿入を可能にするように構成される、態様３４に記載の血液ポンプシステム。
（態様４１）
前記サイドポートの長軸と関連した導管の長軸との間の角度が６０度以下である、態様３５に記載の血液ポンプシステム。
（態様４２）
前記サイドポートのうちの１つ以上が、止血弁に支障を来す、態様３５または３６に記載の血液ポンプシステム。
（態様４３）
前記ポンプ入口またはポンプ出口と連通する端部、および血管への挿入のための遠位端を有する少なくとも１つの導管を有し、前記遠位端が、
前記遠位端の中心長手方向軸と同軸にほぼ円形の端部開口を画定するテーパー状の非面取り遠位先端と、
前記遠位先端の周囲に沿って左右対称に配置された第１の複数の側孔であって、前記円形の端部開口の近位にあり、前記中心長手方向軸に対してある角度で配向される、第１の複数の側孔と、
前記遠位先端の周囲に沿って左右対称に配置された第２の複数の側孔と、を備える、態様２６に記載の血液ポンプシステム。
（態様４４）
前記円形の端部開口が、１．０ｍｍ〜３．０ｍｍの範囲内の直径を有する、態様３８に記載の血液ポンプシステム。
（態様４５）
前記円形の端部開口が、約２．０ｍｍの直径を有する、態様３９に記載の血液ポンプシステム。
（態様４６）
前記第１の複数の側孔が、ほぼ円形であり、それぞれが０．８ｍｍ〜２．５ｍｍの範囲内の直径を有する、態様３８に記載の血液ポンプシステム。
（態様４７）
前記第１の複数の側孔のそれぞれが、約１．７ｍｍの直径を有する、態様４１に記載の血液ポンプシステム。
（態様４８）
前記第１の複数の側孔が、前記中心長手方向軸に対して３０度〜６０度の範囲内の角度で配向される、態様３８に記載の血液ポンプシステム。
（態様４９）
前記第１の複数の側孔が、前記中心長手方向軸に対して４０度の角度で配向される、態様４３に記載の血液ポンプシステム。
（態様５０）
前記第２の複数の側孔が、ほぼ楕円形であり、それぞれが２．５ｍｍ〜７．０ｍｍの範囲内の主軸、および１．０ｍｍ〜２．５ｍｍの範囲内の短軸を有する、態様３８に記載の血液ポンプシステム。
（態様５１）
前記第２の複数の側孔のそれぞれについての前記主軸が約４．８ｍｍであり、前記短軸が約１．７ｍｍである、態様４５に記載の血液ポンプシステム。
（態様５２）
患者の下肢の静脈血圧を減少させるための方法であって、
ポンプ導管アセンブリの一端を下肢静脈または骨盤静脈に流体接続することと、
前記ポンプ導管アセンブリの別端を、橈側皮静脈、尺側皮静脈、上腕静脈、腋窩静脈、鎖骨下静脈、内部または外部頸静脈、腕頭静脈、上大静脈、および右心房のうちの１つ以上に流体接続することと、
前記下肢または骨盤静脈から橈側皮静脈、尺側皮静脈、上腕静脈、腋窩静脈、鎖骨下静脈、内部または外部頸静脈、腕頭静脈、上大静脈、および右心房のうちの１つ以上に、患者の下肢の静脈血圧の減少をもたらすのに十分な流量および時間で血液を圧送することと、を含む、方法。
（態様５３）
患者の前記下肢における皮膚潰瘍の治癒をもたらすのに十分な時間、血液を圧送することをさらに含む、態様４７に記載の方法。
（態様５４）
末梢静脈の全径を増加させる方法であって、
ポンプ導管アセンブリの一端を前記末梢静脈に、別端を別の静脈に流体接続することと、
脱酸素化血液を他端から前記末梢静脈に、前記末梢静脈の前記全径の持続的な増加をもたらすのに十分な速度および時間の量で圧送することと、を含む、方法。
（態様５５）
患者の下肢の前記静脈血圧を減少させると同時に、前記患者の末梢静脈の全径を増加させるための方法であって、
ポンプ導管アセンブリの第１の端部を下肢静脈または骨盤静脈に流体接続することと、
前記ポンプ導管アセンブリの第２の端部を、橈側皮静脈、尺側皮静脈、上腕静脈、腋窩静脈、鎖骨下静脈、内部または外部頸静脈、腕頭静脈、上大静脈、および右心房のうちの１つ以上の流体接続することと、
前記ポンプ導管アセンブリの前記第１の端部を使用して、前記下肢または骨盤静脈から橈側皮静脈、尺側皮静脈、上腕静脈、腋窩静脈、鎖骨下静脈、内部または外部頸静脈、腕頭静脈、および上大静脈のうちの１つ以上に、前記ポンプ導管アセンブリの前記第２の端部を使用して、患者の下肢の静脈血圧の減少をもたらし、かつ橈側皮静脈、尺側皮静脈、上腕静脈、腋窩静脈、鎖骨下静脈、内部または外部頚静脈、腕頭静脈、および上大静脈の前記全径の持続的な増加をもたらすのに十分な流量および時間で血液を圧送することと、を含む、方法。
（態様５６）
前記ポンプ導管アセンブリの導管部分の長さを調整することと、
取り付け可能な導管カフを、前記患者の導管皮膚挿入部位に隣接する導管トンネル内に位置付けることと、
前記取り付け可能な導管カフを前記導管に固定することと、をさらに含む、態様４７、４８、４９、または５０に記載の方法。
（態様５７）
血液ポンプシステムであって、
毎分約５０ミリリットル〜毎分約１５００ミリリットルの動作範囲を有する遠心式血液ポンプであって、
血液を受容し、血液を羽根車の上に向けるようにポンプ入口を画定するポンプハウジングであって、前記ハウジングの上部から前記入口に伸長する上部ピボット軸受と、前記ハウジングの底部から前記ハウジングの内部空間に伸長する底部ピボット軸受とを有するポンプハウジングと、
前記羽根車と前記ハウジングの上部分との間の第１の間隙が、約０．０５ｍｍ〜約０．１２５ｍｍの第１の範囲内である、前記ハウジング内に懸架された前記羽根車であって、
前記上部ピボットに係合する第１の端部と、前記底部ピボットに係合する第２の端部とを有する羽根車ピボットと、
前記羽根車の上面にあり、前記羽根車の中心から半径方向に離れて伸長する複数のブレードであって、前記入口で受容した血液を、前記ポンプハウジングを通して前記出口まで押し進めるブレードと、
前記底面から前記羽根車を通して上面まで前記羽根車の中心軸に平行に伸長する少なくとも１つの内腔と、を有する、前記羽根車と、
前記羽根車に機械的に係合した少なくとも１つの磁石と、
前記少なくとも１つの磁石に磁気的に係合する電気モーターであって、前記少なくとも１つの磁石および前記羽根車を回転させる電気モーターと、
前記少なくとも１つの磁石に磁気的に係合する強磁性バックプレートと、を備える、遠心式血液ポンプと、
前記ポンプ入口またはポンプ出口と連通する端部、および血管への挿入のための遠位端を有する少なくとも１つの導管であって、前記遠位端が、
前記遠位端の中心長手方向軸と同軸にほぼ円形の端部開口を画定するテーパー状の非面取り遠位先端と、
前記遠位先端の周囲に沿って左右対称に配置された第１の複数の側孔であって、前記円形の端部開口の近位にあり、前記中心長手方向軸に対してある角度で配向される、第１の複数の側孔と、
前記遠位先端の周囲に沿って左右対称に配置された第２の複数の側孔と、を含む、少なくとも１つの導管と、
前記少なくとも１つの導管と連通する１つ以上のサイドポートと、
前記少なくとも１つの導管に係合する１つ以上の取り付け可能な導管カフと、を備える、血液ポンプシステム。
（態様５８）
前記ポンプ上ローターとハウジングとの間隙が、２５μｍ〜２２５μｍの範囲内の幅を有する、態様１、２６、または５２に記載の血液ポンプシステム。
（態様５９）
前記ポンプ上ローターとハウジングとの間隙が、７５μｍ〜１７５μｍの範囲内の幅を有する、態様１、２６、または５２に記載の血液ポンプシステム。
（態様６０）
前記ポンプ上ローターとハウジングとの間隙が、約１００μｍの幅を有する、態様１、２６、または５２に記載の血液ポンプシステム。
（態様６１）
前記ポンプ下ローターとハウジングとの間隙が、１５０μｍ〜３５０μｍの範囲内の幅を有する、態様１、２６、または５２に記載の血液ポンプシステム。
（態様６２）
前記ポンプ下ローターとハウジングとの間隙が、約２５０μｍの幅を有する、態様１、２６、または５２に記載の血液ポンプシステム。
（態様６３）
毎分０．１〜１０００ｍＬの流量範囲全体の溶血率が、４．４ＢＰ−５０単位未満である、態様１、２６、または５２に記載の血液ポンプシステム。
（態様６４）
毎分０．１〜１０００ｍＬの流量範囲全体の溶血率が、２．４ＢＰ−５０単位未満である、態様１、２６、または５２に記載の血液ポンプシステム。
（態様６５）
毎分０．１〜１０００ｍＬの流量範囲全体の溶血率が、０．４ＢＰ−５０単位未満である、態様１、２６、または５２に記載の血液ポンプシステム。
（態様６６）
前記羽根車上面面積の１０％以下が、動作中に動圧軸受を形成する、態様１、２６、または５２に記載の血液ポンプシステム。
（態様６７）
前記羽根車上面面積の５０％以上が、動作中に動圧軸受を形成する、態様１、２６、または５２に記載の血液ポンプシステム。
（態様６８）
前記羽根車上面面積の１０％〜５０％が、動作中に動圧軸受を形成する、態様１、２６、または５２に記載の血液ポンプシステム。